(57)【要約】【課題】　不使用時に間仕切のパネル装着空間に折畳めるようにして学校等で仕切りとして使用できる保管庫付き間仕切を提供する。【解決手段】　天井とフロア間に所定間隔に方立２を起立設置し，該方立２間に上下複数の横枠３を配置することによって格子状とした構造枠１と，該構造枠１によって区画されるパネル装着空間にそれぞれ仕切パネル４を装着する一方，その下位のパネル収納空間に折畳み伸張自在にしてボックス状の保管庫Ｂを嵌合状に収納装着し，背面側の受台１５と正面側のキャスター１７とによって保管庫Ｂの荷重支持と水平確保を行うようにする。【選択図】　　　　図４
2004143930.tif 000002
【特許請求の範囲】
【請求項１】
　天井とフロア間に所定間隔に方立を起立設置し，該方立間に上下複数の横枠を配置することによって格子状とした構造枠と，該構造枠によって区画されるパネル装着空間にそれぞれ仕切パネルを装着するとともに一部のパネル収納空間に嵌合状に装着設置し又はその正面に添設設置するように使用する保管庫とを備え且つ該保管庫をパネル収納空間において折畳み伸張自在として該保管庫の折畳み時に同一の面をなすように該パネル装着空間内に収納自在としてなる間仕切であって，上記保管庫を正面板，背面板，左右の側板，天板，床板及び／又は棚板を備えて６面を囲繞し，正面板及び／又は背面板を基準として，これらの間に側板，床板及び／又は棚板を折曲収納自在とし且つ天板を奥行方向中間で前後に分割して正面板前方で上下方向に回動折曲自在とすることによって折畳み状態の厚さを上記間仕切の見込み幅と同等とした折畳み伸張自在のボックス状に構成してなることを特徴とする保管庫付き間仕切。
【請求項２】
　上記保管庫を，その背面側に配置した受台と正面側に配置したキャスターとによってその荷重を支持し水平を確保し，上記構造枠によって区画される上下に複数区分したパネル収納空間のうち下位に位置するパネル収納空間内に収納自在としてなることを特徴とする請求項１に記載の保管庫付き間仕切。
【請求項３】
　上記保管庫の正面板の下枠に巾木を設置してなることを特徴とする請求項２に記載の保管庫付き間仕切。
【請求項４】
　上記保管庫の折畳み折曲を，その側板を正面板及び背面板にそれぞれヒンジ連結するとともに奥行方向中央位置でヒンジ連結して正面板及び背面板に対して谷折りの折畳み折曲としてなることを特徴とする請求項１，２又は３に記載の保管庫付き間仕切。
【発明の詳細な説明】
【技術分野】
【０００１】
　本発明は，保管庫に関し，特に学校，公民館，図書館，事務所等における仕切りとして使用する間仕切に関し，特に不使用時の折畳みを可能とした保管庫を有する保管庫付き間仕切に関する。
【背景技術】
【０００２】
　この種間仕切は，例えば部屋と廊下或いは部屋間を仕切る壁面として設置使用されるが，その目的からフラットな仕切面を構成するように方立又はこれと無目等の横枠による構造枠に対して仕切パネルを装着したものとされている。
【発明の開示】
【発明が解決しようとする課題】
【０００３】
　本発明はかかる事情に鑑みてなされたもので，その解決課題とするところは，間仕切のパネル装着空間に嵌合状に装着設置し又は間仕切の正面に添設設置するように使用するとともに不使用時には間仕切の一部として又はこれに添設してコンパクトに折畳むことができるようにした保管庫を備えた保管庫付き間仕切を提供するにある。
【課題を解決するための手段】
【０００４】
　上記課題に沿って請求項１に記載の発明は，これを，天井とフロア間に所定間隔に方立を起立設置し，該方立間に上下複数の横枠を配置することによって格子状とした構造枠と，該構造枠によって区画されるパネル装着空間にそれぞれ仕切パネルを装着するとともに一部のパネル収納空間に嵌合状に装着設置し又はその正面に添設設置するように使用する保管庫とを備え且つ該保管庫をパネル収納空間において折畳み伸張自在として該保管庫の折畳み時に同一の面をなすように該パネル装着空間内に収納自在としてなる間仕切であって，上記保管庫を正面板，背面板，左右の側板，天板，床板及び／又は棚板を備えて６面を囲繞し，正面板及び／又は背面板を基準として，これらの間に側板，床板及び／又は棚板を折曲収納自在とし且つ天板を奥行方向中間で前後に分割して正面板前方で上下方向に回動折曲自在とすることによって折畳み状態の厚さを上記間仕切の見込み幅と同等とした折畳み伸張自在のボックス状に構成してなることを特徴とする保管庫付き間仕切とし，請求項２に記載の発明を，上記保管庫を，その背面側に配置した受台と正面側に配置したキャスターとによってその荷重を支持し水平を確保し，上記構造枠によって区画される上下に複数区分したパネル収納空間のうち下位に位置するパネル収納空間内に収納自在としてなることを特徴とする請求項１に記載の保管庫付き間仕切とし，請求項３に記載の発明を，上記保管庫の正面板の下枠に巾木を設置してなることを特徴とする請求項２に記載の保管庫付き間仕切とし，請求項４に記載の発明を，上記保管庫の折畳み折曲を，その側板を正面板及び背面板にそれぞれヒンジ連結するとともに奥行方向中央位置でヒンジ連結して正面板及び背面板に対して谷折りの折畳み折曲としてなることを特徴とする請求項１，２又は３に記載の保管庫付き間仕切とし，これらをそれぞれ発明の要旨として，上記課題解決の手段としたものである。
【発明の効果】
【０００５】
　本発明は以上のとおりに構成したから，部屋と廊下或いは部屋間を仕切る壁面として使用するとともにそのパネル装着空間に嵌合状に装着設置し又は間仕切の正面に添設設置するようにして，不使用時には間仕切の一部として又はこれに添設してコンパクトに折畳むことができ，伸張によって自ずと床板及び／又は棚板を形成するようにこれらを一体に備え且つ左右の側板の折曲収納を確実に安定して行うことができるようにした保管庫付き間仕切を提供することができる。
【発明を実施するための最良の形態】
【０００６】
　以下図面の例に従って本発明を更に具体的に説明すれば，図１乃至図６においてＡは間仕切であり，該間仕切Ａは，天井とフロア間に所定間隔に方立２を起立設置し，該方立２間に上下複数の横枠３を配置することによって格子状とした構造枠１と，該構造枠１によって区画されるパネル装着空間にそれぞれ仕切パネル４を装着するとともに一部のパネル収納空間に嵌合状に装着設置し又はその正面に添設設置するように使用する保管庫Ｂとを備えたものとしてある。
【０００７】
　本例にあって間仕切Ａは，例えば学校の廊下と教室を仕切るように設置した図示省略の出入り口を有する金属製のものとしてあり，その構造枠１は格子状とすることによって上下に複数区分した複数のパネル収納空間を備えたものとし，本例にあって上記保管庫Ｂは，該構造枠１によって区画される上下に複数区分した該パネル収納空間のうち下位に位置するパネル収納空間内に収納自在として，その収納を行なったものとしてある。
【０００８】
　保管庫Ｂは，正面板，背面板，左右の側板，天板，床板及び／又は棚板を備えて６面を囲繞し，正面板及び／又は背面板を基準として，これらの間に側板，床板及び／又は棚板を折曲収納自在とするとともに天板を奥行方向中間で前後に分割して正面板前方で上下方向に回動折曲自在とすることによって折畳み状態の厚さを上記間仕切Ａの見込み幅と同等とした折畳み伸張自在のボックス状としてある。
【０００９】
　即ち本例にあって保管庫Ｂは，上記正面板６，背面板８，左右の側板９，天板１０，床板１１及び棚板１２を備えることによって上記６面を囲繞したボックス状としてあり，本例における棚板１２はこれを中間高さとし，また正面板６に開き戸，引き戸等の開口部材７，本例にあっては上下２段の引き違い戸を備えて前面に保管物の出し入れ用の開口を形成したものとし，また該保管庫Ｂは，その背面側，本例にあっては該保管庫Ｂの背面に配置した受台１５と正面側に配置したキャスター１７とによってその荷重を支持し水平を確保するようにして，上記構造枠１によって区画される上下に複数区分のうち下位に位置するパネル収納空間内に収納装着したものとしてあり，本例にあって該保管庫Ｂは，更にその正面板６の下枠に巾木１９を設置したものとしてある。
【００１０】
　本例の保管庫Ｂにおける折畳み伸張は，背面板８を基準にして，正面板６を背面板８側に引き寄せ，側板９をこれらの間に折曲収納し，天板１０を正面板６前方で上下方向に回動折曲し，床板１１及び棚板１２をそれぞれ上下方向に回動折曲することによって行うものとするとともに該保管庫Ｂの折畳み厚さを間仕切Ａの見込み幅，即ち奥行幅に合わせるようにしてあり，これによって保管庫Ｂを上記パネル装着空間に収納自在としてある。
【００１１】
　このとき保管庫Ｂの折畳み折曲は，これを，その側板９を正面板６及び背面板８にそれぞれヒンジ連結１３するとともに奥行方向中央位置でヒンジ連結１３して正面板６及び背面板８に対して谷折りの折畳み折曲を行なうものとしてある。このとき天板１０は，その背面側を背面板８の上枠と一体に形成したパネルとし，これと前面の上記折曲用のパネルとによって上記奥行方向中間で前後に分割した構成のものとしてあり，該分割位置において同じくヒンジ１３連結してその上記上下方向の回動折曲を行うようにしてある。本例にあってこれらヒンジ１３連結は，これをアルミ押出材の軸と軸受とを１／４円回動自在とするように嵌合して形成したアルミ全面ヒンジを用いて行なってあり，これによって２分割した一対の側板９の谷折りの折畳みによる折曲収納を行うとともに天板１０を正面板６前方に下向き転倒状とする上下方向の回動折曲を行うように構成してある。
【００１２】
　上記床板１１及び棚板１２の回動折曲は，本例にあって背面板８の下枠又は中間枠にそれぞれ蝶番金物によってヒンジ１３連結することによって上向きの跳ね上げ起立状の回動折曲を行なうことによって，同じく正面板６と背面板８との間に折曲収納するように行うものとしてある。
【００１３】
　このように構成した本例の保管庫Ｂは，その背面板８又はその下端に設置した固定部，本例にあっては上記受台１５の下端に設けた固定板１６を，間仕切Ａの構造枠１又は床面に固定することによって，間仕切Ａにおける上記格子状の構造枠１における下位に位置するパネル装着空間に装着して，その保管庫Ｂとして使用し，不使用時には，該パネル収納空間内に折畳み収納を行うものとしてある。
【００１４】
　図中５は間仕切Ａのパネル装着開口に設置した窓サッシ，１４は正面板６の中間枠及び下枠に設置した棚板１２及び床板１１の自由端の載置用受部，１８は上記天板１０のバタツキ防止用にして保管庫Ｂ伸張時の保形用に正面板６の上枠に設置したロック金具，本例にあってはラッチによるロック金具である。
【００１５】
　図７乃至１４は他の例を示すもので，図７乃至図１０は，上記受台１５を保管庫Ｂから外して間仕切Ａの下端位置に設置してその背面側の配置を行う一方，該保管庫Ｂを，間仕切Ａの上記下位のパネル装着空間に嵌合状に装着設置し，保管庫Ｂの全体を伸張した状態で間仕切Ａの前方に引出し自在とするように，該パネル装着空間を画する間仕切Ａの構造枠１と保管庫Ｂの間に伸縮機構２０を追加的に介設した例であり，本例において該伸縮機構２０によって，これら構造枠１と保管庫Ｂを連結し，保管庫Ｂの背面側の支持を行うとともにその引出しをスムーズに行うようにして，伸張した使用時の使い勝手を向上するようにしてある。本例の伸縮機構２０は，該保管庫Ｂを装着した上記構枠１の横枠３及び上記保管庫Ｂから外した受台１５と背面板８の同じく上下の横枠にそれぞれ設置したガイドレール２１に対してリンクバーの一端を固定し，他端をローラーを介してスライド自在とし且つ交差位置で回動自在に軸支して，上記背面板８の上下に設置した，例えば上下に各一対のＸ字状にして水平配置の伸縮リンクによるものとしてある。
【００１６】
　図１１及び１２は，上記保管庫Ｂを，間仕切Ａの正面に添設設置するように使用した例であり，本例において上記間仕切Ａは，該保管庫Ｂ部分を含めてパネル装着空間に仕切パネル４を装着する一方，上記保管庫Ｂを，構造枠１の横枠に対接固定してあり，例えば既設や新設の間仕切Ａに，その仕切パネル４をそのままとして，保管庫Ｂを後付け状に設置したり，臨時的に設置したりするのに適した設置の形態とした例である。
【００１７】
　図１３及び１４は，上記保管庫Ｂを，幅方向に複数連結した形態として，複数のパネル装着空間に一体に装着するようにした例を示し，このとき中間の連結部分において正面板６と背面板８の縦枠と中間の仕切板２２とを幅方向に隣接する保管庫Ｂとの間で共通に使用する一方，中間の仕切板２２を，その一端を背面板８にヒンジ１３連結し，他端の自由端を，正面板６の縦枠に取外し自在に対接固定したものとしてあり，該対接固定を該自由端と上記縦枠間に配置したフィンに設置したラッチ等の受金具２３によって行うようにした例である。
【００１８】
　図７乃至１４のその余の構成は，基本的に前記例と変わらないので，同一符号を付して，その重複する説明を省略する。
【００１９】
　図示した例は以上のとおりとしたが，保管庫を間仕切の複数のパネル装着空間の中間に装着設置すること，上記天板を，上記正面板前方の回動折曲に加えて，上方に跳ね上げ回動することにより，上面に開口を備えたものとすること，側板を正面板にヒンジ連結して背面板との間に上記リンクを介設する等して，該正面板を基準にして側板を折曲収納自在とすること，上記アルミ前面ヒンジに代えて蝶番金具によるヒンジ連結を行うようにすること，床板及び／又は棚板を正面板にヒンジ連結して，正面板を基準にして同様に回動折曲するようにし，またヒンジ連結することなく，正面板，背面板，側板間に落とし込み状に別体のものを装着するようにすること，正面板を，開き戸とし，シャッターとする等，上記引き戸以外の開口部材を備えたものとすること，保管庫を前方に引出し自在とするように上記伸縮リンクを使用するとき，これをパネル装着空間を画する構造枠の左右の方立と背面板の左右の縦枠との間に介設すること等を含めて，本発明の実施に当って，間仕切，そのパネル装着空間，保管庫，その正面板，背面板，側板，天板，必要に応じて使用する床板，棚板，ヒンジ，リンク等の各具体的形状，材質，構造，これらの関係，これらに対する付加等は上記発明の要旨に反しない限り適宜に変更して，様々の形態のものとすることができる。
【図面の簡単な説明】
【００２０】
【図１】間仕切の正面図である。
【図２】間仕切の側面図である。
【図３】保管庫の折畳み状態を示す間仕切の縦断面図である。
【図４】保管庫の使用状態を示す間仕切の縦断面図である。
【図５】保管庫の折畳み状態を示す間仕切の横断面図である。
【図６】保管庫の使用状態を示す間仕切の横断面図である。
【図７】他の例の保管庫の折畳み状態を示す間仕切の縦断面図である。
【図８】保管庫の使用状態を示す図７の間仕切の縦断面図である。
【図９】保管庫の折畳み状態を示す図７の間仕切の横断面図である。
【図１０】保管庫の使用状態を示す図７の間仕切の横断面図である。
【図１１】他の例の保管庫の折畳み状態を示す間仕切の縦断面図である。
【図１２】保管庫の使用状態を示す図１１の間仕切の縦断面図である。
【図１３】他の例の保管庫の折畳み状態を示す間仕切の横断面図である。
【図１４】保管庫の使用状態を示す図１３の間仕切の横断面図である。
【符号の説明】
【００２１】
　　　Ａ　間仕切
　　　Ｂ　保管庫
　　　６　正面板
　　　７　開口部材
　　　８　背面板
　　　１０　天板
　　　１１　床板
　　　１２　棚板
　　　１３　ヒンジ
【図１】
2004143930.tif 000003
【図２】
2004143930.tif 000004
【図３】
2004143930.tif 000005
【図４】
2004143930.tif 000006
【図５】
2004143930.tif 000007
【図６】
2004143930.tif 000008
【図７】
2004143930.tif 000009
【図８】
2004143930.tif 000010
【図９】
2004143930.tif 000011
【図１０】
2004143930.tif 000012
【図１１】
2004143930.tif 000013
【図１２】
2004143930.tif 000014
【図１３】
2004143930.tif 000015
【図１４】
2004143930.tif 000016